(57)【要約】【課題】水漏れがなく安心して使える使い勝手の良いアイロン装置を提供する。【解決手段】アイロン本体１とそれが載置されるスタンド６からなり、アイロン本体１は、ベース２に形成された気化室（図示せず）と、気化室に供給される水を貯える本体タンク３と、本体タンク３に連通する受水部４とを備え、スタンド６は、アイロン本体１を載置する載置部７と、載置部７にアイロン本体１を載置した時に受水部４と接続される給水部８と、本体タンク１に供給する水を貯えると共に着脱自在の貯水タンク９と、貯水タンク９の水を給水部８に送る給水装置１０と、貯水タンク９を水密的に接続する水接続部１５とを具備し、水接続部１５を貯水タンク９の天面に設けたもので、水接続部１５が貯水タンク９の水位より上方に位置するため、万が一作業者が貯水タンク９を完全にセットしない場合でも、貯水タンク９から水が漏れることがない。【選択図】図１
2006081804.tif 000002
【特許請求の範囲】
【請求項１】
アイロン本体と、前記アイロン本体が載置されるスタンドからなり、前記アイロン本体は、ヒータによって加熱されるベースと、前記ベースに形成された気化室と、前記気化室に供給される水を貯える本体タンクと、前記本体タンクに連通する受水部とを備え、前記スタンドは、前記アイロン本体を載置する載置部と、前記載置部に前記アイロン本体を載置した時に前記受水部と接続される給水部と、前記本体タンクに供給する水を貯えると共に着脱自在の貯水タンクと、前記貯水タンクの水を前記給水部に送る給水装置と、前記貯水タンクを水密的に接続する水接続部とを具備し、前記水接続部を前記貯水タンクの天面に設けたアイロン装置。
【請求項２】
水接続部に、貯水タンクのスタンドへの着脱動作に連動して開閉する開閉弁を設けた請求項１に記載のアイロン装置。
【請求項３】
水接続部に連通すると共に、下端が貯水タンクの底面との間に所定の隙間をおいて配置される連通管を具備する請求項１又は２に記載のアイロン装置。
【請求項４】
連通管を、貯水タンクの外郭を形成する部材と一体に形成した請求項３に記載のアイロン装置。
【請求項５】
貯水タンクの底面に凹部を形成し、その凹部に連通管の下端を臨ませた請求項３又は４に記載のアイロン装置。
【請求項６】
貯水タンクの底面に、凹部が最も下方に位置するように傾斜部を設けた請求項５に記載のアイロン装置。
【発明の詳細な説明】
【技術分野】
【０００１】
本発明は、衣類等のしわ伸ばしを行うアイロン本体をスタンドに載置することにより、同アイロン本体のタンクに水が自動的に供給されるアイロン装置に関するものである。
【背景技術】
【０００２】
従来、この種のアイロン装置は、スタンドに着脱自在の貯水タンクに、スタンドへの着脱に連動して開閉する開閉弁を有し、貯水タンクをスタンドにセットすると、開閉弁が開き、貯水タンクの底面に配置された水接続部がスタンド側に連通され、給水装置が駆動されることによって、スタンドに配置された給水部、アイロン本体に配置された受水部を経由して、アイロン本体に配置された本体タンクに水が供給されるようになっていた（例えば、特許文献１参照）。
【特許文献１】特開平６−１３４１９７号公報（第４図）
【発明の開示】
【発明が解決しようとする課題】
【０００３】
しかし、このような構造のものでは、貯水タンクをスタンドにセットする際に作業者が確実にセットしないと、水接続部から水が漏れる恐れがあり、床面、アイロン台、衣類等を濡らしてしまうという問題があった。
【０００４】
また、開閉弁のシール部にゴミ等の付着、キズ等が付くと開閉弁のシールができなくなるため、貯水タンクにある水が漏れ、床面、アイロン台、衣類等を濡らしてしまうという問題があった。
【０００５】
本発明は、上記従来の課題を解決するもので、水漏れがない使い勝手の良いアイロン装置を供給することを目的とするものである。
【課題を解決するための手段】
【０００６】
前記従来の課題を解決するために、本発明のアイロン装置は、アイロン本体と、前記アイロン本体が載置されるスタンドからなり、前記アイロン本体は、ヒータによって加熱されるベースと、前記ベースに形成された気化室と、前記気化室に供給される水を貯える本体タンクと、前記本体タンクに連通する受水部とを備え、前記スタンドは、前記アイロン本体を載置する載置部と、前記載置部に前記アイロン本体を載置した時に前記受水部と接続される給水部と、前記本体タンクに供給する水を貯えると共に着脱自在の貯水タンクと、前記貯水タンクの水を前記給水部に送る給水装置と、前記貯水タンクを水密的に接続する水接続部とを具備し、前記水接続部を前記貯水タンクの天面に設けたもので、水接続部が貯水タンクの水位より上方に位置するため、万が一、作業者が貯水タンクを完全にセットしない場合でも、貯水タンクから水が漏れることがない。また、給水装置と連通する通路が不良等により水密性が確保できていない場合でも上記と同じ様に水が漏れることが無いので作業者が安心してアイロン掛けができる。
【発明の効果】
【０００７】
本発明のアイロン装置によれば、水接続部が貯水タンクの水位より上方に位置するため、万が一、作業者が貯水タンクを完全にセットしない場合でも、貯水タンクから水が漏れることがない。また、給水装置と連通する通路が不良等により水密性が確保できていない場合でも上記と同じ様に水が漏れることが無いので作業者が安心してアイロン掛けができる。
【発明を実施するための最良の形態】
【０００８】
第１の発明は、アイロン本体と、前記アイロン本体が載置されるスタンドからなり、前記アイロン本体は、ヒータによって加熱されるベースと、前記ベースに形成された気化室と、前記気化室に供給される水を貯える本体タンクと、前記本体タンクに連通する受水部とを備え、前記スタンドは、前記アイロン本体を載置する載置部と、前記載置部に前記アイロン本体を載置した時に前記受水部と接続される給水部と、前記本体タンクに供給する水を貯えると共に着脱自在の貯水タンクと、前記貯水タンクの水を前記給水部に送る給水装置と、前記貯水タンクを水密的に接続する水接続部とを具備し、前記水接続部を前記貯水タンクの天面に設けたもので、水接続部が貯水タンクの水位より上方に位置するため、万が一、作業者が貯水タンクを完全にセットしない場合でも、貯水タンクから水が漏れることがない。また、給水装置と連通する通路が不良等により水密性が確保できていない場合でも上記と同じ様に水が漏れることが無いので作業者が安心してアイロン掛けができる。
【０００９】
第２の発明は、特に、第１の発明の水接続部に、貯水タンクのスタンドへの着脱動作に連動して開閉する開閉弁を設けたもので、貯水タンクを外したときに開閉弁が閉じるようにすれば、着脱式の貯水タンクを持ち運ぶ時に、開閉弁が閉じているため、貯水タンクを天地逆にしても水が漏れる心配はなく、安心して使用することができる。
【００１０】
第３の発明は、特に、第１又は第２の発明の水接続部に連通すると共に、下端が貯水タンクの底面との間に所定の隙間をおいて配置される連通管を具備するもので、貯水タンクの水が少なくなった場合でも、所定の隙間（水位）まで給水手段が給水することが可能であり、貯水タンク内の水を有効に給水することができるため、作業者が貯水タンクへの給水する回数を減らすことができる。
【００１１】
第４の発明は、特に、第３の発明の連通管を、貯水タンクの外郭を形成する部材と一体に形成したもので、連通管を構成する部品点数を減らすことができる。また、その構成部品の不良等による給水の不良を低減することができ、確実に給水することができる。
【００１２】
第５の発明は、特に、第３又は第４の発明の貯水タンクの底面に凹部を形成し、その凹部に連通管の下端を臨ませたもので、給水手段が給水できる水量を増やすことができ、貯水タンク内の水を有効に給水することができるため、作業者が貯水タンクへの給水する回数を減らすことができる。
【００１３】
第６の発明は、特に、第５の発明の貯水タンクの底面に、凹部が最も下方に位置するように傾斜部を設けたもので、貯水タンクの水位が少なくなると、傾斜に沿って凹部に水が集まるため、給水手段が給水できる水量を増やすことができ、貯水タンク内の水を有効に給水することができ、作業者が貯水タンクへの給水する回数を減らすことができる。
【００１４】
以下、本発明の実施の形態について添付図面にもとづいて説明する。なお、この実施の形態によって本発明が限定されるものではない。
【００１５】
（実施の形態１）
図１は、本発明の第１の実施の形態におけるアイロン装置の断面図である。
【００１６】
図１において、本実施の形態におけるアイロン装置は、衣類などのしわ伸ばしをおこなうアイロン本体１と、そのアイロン本体１が載置されるスタンド６から構成され、アイロン本体１は、図示しないヒータによって加熱されると共に気化室を形成したベース２と、前記気化室に水を供給するための本体タンク３と、この本体タンク３に水を供給するための受水部４と、この本体タンク３内の水位を検知する水位検知装置５を有している。
【００１７】
スタンド６は、前記アイロン本体１を前記ベース２の後部を下方にして傾斜載置する載置部７と、前記アイロン本体１の受水部４と対向した位置に設けられた給水部８と、アイロン本体１の本体タンク３に、給水部８および受水部４を介して供給する水を貯えるための貯水タンク９と、この貯水タンク９に貯えられた水を、給水部８および受水部４を介してアイロン本体１の本体タンク３へ送るためのポンプ等で構成された給水装置１０と、前記アイロン本体１への通電およびこの給水装置１０の駆動を制御すると共に複数の電子部品（図示せず）により構成された制御手段１１を有している。給水装置１０の吐出側は、図示しない接続管を通して給水部８と連通している。
【００１８】
ここで、前記貯水タンク９は、作業者が貯水タンク９に給水する場合に持ち運び易いように、スタンド６に着脱自在に構成されている。また、作業者が貯水タンク９に水を入れるための注水口１２と、持ち運び時もしくはアイロン掛け作業時に前記注水口１２から水が漏れないように、この注水口１２を開閉自在に覆う蓋体１３と、前記貯水タンク９を作業者がセットした時に、スタンド５の導水路１４と水密的に接続される水接続部１５を貯水タンク９の上面に有している。
【００１９】
また、水接続部１５は貯水タンク９の外郭に一体で形成され、その下方に貯水タンク９の外郭に一体で形成された筒状の連通管１６を有している。また、貯水タンク９の底部１７には凹部１８を有し、底部１７は、凹部１８が最も下方に位置するように傾斜部１９を有している。連通管１６の下端は、凹部１８に臨むと共に、凹部１８と連通管１６の下端との間に所定の隙間ａが確保されている。
【００２０】
次に、上記構成によるアイロン装置の動作を説明する。
【００２１】
まず、アイロンがけを行うときは、アイロン本体１をスタンド６の載置部７に載置して電源を投入する。アイロン本体１をスタンド６に載置した場合には、アイロン本体１の受水部４とスタンド６の給水部８が連通され、水位検知装置５により検知された本体タンク３の水位が少ない場合には、制御手段１１が給水装置１０を駆動する。
【００２２】
給水装置１０が駆動されると、貯水タンク９の水は、連通管１６を通して吸い上げられ、貯水タンク９の水接続部１５、スタンド６の導水路１４、給水装置１０、スタンド６の給水部８、アイロン本体１の受水部４を経由して本体タンク３に給水され、規定の水位まで本体タンク３が水で満たされる。また、貯水タンク９の水は、底部１７の傾斜部１９により凹部１８に集められるため、水位が所定の隙間ａより低くなるまで有効に連通管１６に吸い上げられることができる。
【００２３】
作業者がアイロン掛けを続け、貯水タンク９の凹部１８の水位が隙間ａより低くなった場合は、作業者は貯水タンク９をスタンド６から外し、貯水タンク９を水道口まで運び、蓋体１３を開状態にして、注水口１２から水を注ぎ、貯水タンク９内に水を満たす。その後、貯水タンク９をスタンド６に再びセットした場合は、貯水タンク９の水接続部１５は、スタンド６の導水路１４と水密的に接続され、給水装置１０に連通される。
【００２４】
このとき、万が一、貯水タンク９の水接続部１５とスタンド６の導水路１４の接続が不完全であっても、貯水タンク９の水接続部１５は、貯水タンク９の上面に位置しているため、すなわち、貯水タンク９の満水水位の上部に位置しているため、貯水タンク９の水が漏れることはない。
【００２５】
また、貯水タンク９の水接続部１５とスタンド６の導水路１４の接続が不完全な状態で、給水装置１０が駆動しても、水接続部１５と導水路１４の接続部から空気が流入するため、連通管１６から水を吸いあげることができないため、水接続部１５と導水路１４の接続部から水が漏れることはない。
【００２６】
なお、特に図示しないが、貯水タンク９の水接続部１５に、貯水タンク９のスタンド６への着脱動作に連動して開閉する開閉弁を設け、貯水タンク９をスタンド６から外したときに、前記開閉弁が閉じるようにすれば、着脱式の貯水タンク９を持ち運ぶ時に、開閉弁が閉じているため、貯水タンク９を天地逆にしても水が漏れる心配はなく、安心して使用することができる。
【産業上の利用可能性】
【００２７】
以上のように、本発明にかかるアイロン装置は、水漏れがなく安心して衣類等のしわ伸ばしを行うことができるので、液体用のタンクを備えた本体と、その本体が載置されると共に、前記タンクに自動で補充する液体を貯水する貯水タンクを備えたベースからなる各種機器、装置に広く適用できる。
【図面の簡単な説明】
【００２８】
【図１】本発明の実施の形態１におけるアイロン装置の断面図
【符号の説明】
【００２９】
１  アイロン本体
２  ベース
３  本体タンク
４  受水部
６  スタンド
７  載置部
８  給水部
９  貯水タンク
１０  給水装置
１４  導水路
１５  水接続部
１６  連通管
１８  凹部
１９  傾斜部
【図１】
2006081804.tif 000003